(57)【要約】      （修正有）【課題】ＩＰｖ６ネットワークアクセス網において、どの加入者端末装置がどのグローバルＩＰｖ６アドレスを保持するかを管理可能とすることにある。【解決手段】加入者端末装置１のネットワークログイン認証時に、加入者認証サーバ装置３は、加入者端末装置１から送信される認証メッセージから加入者端末装置のユーザアカウント情報と加入者端末装置のＭＡＣアドレスを収集し、ユーザ管理テーブルに保持する。ネットワークログイン認証後の加入者端末装置１へのＩＰｖ６アドレスＰｒｅｆｉｘの払い出し時に、加入者収容ルータ装置２は、加入者端末装置１のグローバルＩＰｖ６アドレスを特定し、該グローバルＩＰｖ６アドレスと加入者端末装置１のＭＡＣアドレスを一緒に加入者認証サーバ装置３に送る。加入者認証サーバ装置３は、加入者端末装置のＭＡＣアドレスをマッピングキーとして、どの加入者端末装置がどのグローバルＩＰｖ６アドレスを保持するか管理する。【選択図】        図２
2004242142.tif 000002
【特許請求の範囲】
【請求項１】
加入者端末装置を収容し、ＮＤＰによるステートレス自動設定によって加入者端末装置へＩＰｖ６アドレスＰｒｅｆｉｘを払い出す加入者収容ルータ装置と、加入者端末装置のネットワークログイン認証を行う加入者認証サーバ装置とから構成されるＩＰｖ６ネットワークアクセス網において、
加入者端末装置のネットワークログイン認証時に、加入者認証サーバ装置は、加入者端末装置から送信される認証メッセージから加入者端末装置のユーザアカウント情報と加入者端末装置のＭＡＣアドレスを収集し、ユーザ管理テーブルに保持し、
加入者端末装置のネットワークログイン認証後に加入者収容ルータ装置にて行われるＮＤＰによる加入者端末装置１へのＩＰｖ６アドレスＰｒｅｆｉｘの払い出しシーケンスにおいて、加入者収容ルータ装置は、加入者端末装置から送信されるルータ要請シグナルのソースＩＰｖ６アドレスに含まれる加入者端末装置のＩＦ−ＩＤと加入者端末装置のＭＡＣアドレスを収集し、ルータ要請シグナルの返信としてルータ通知シグナルにより加入者端末装置１へＩＰｖ６アドレスＰｒｅｆｉｘを払い出すとともに、払い出したＩＰｖ６アドレスＰｒｅｆｉｘと、収集した加入者端末装置のＩＦ−ＩＤを組み合わせることにより、加入者端末装置のグローバルＩＰｖ６アドレスを特定し、該グローバルＩＰｖ６アドレスと収集した加入者端末装置のＭＡＣアドレスを一緒に加入者認証サーバ装置に送り、
加入者認証サーバ装置は、収集した加入者端末のＭＡＣアドレスをマッピングキーとして、加入者ルータ装置から受信した加入者端末装置のグローバルＩＰｖ６アドレスを加入者認証サーバ装置が保持する加入者端末装置のユーザアカウントとマッピングさせてユーザ管理テーブルに書き込み、どの加入者端末装置がどのグローバルＩＰｖ６アドレスを保持するか管理することを特徴とするユーザ管理方法。
【請求項２】
請求項１記載のユーザ管理方法に使用する加入者収容ルータ装置であって、加入者端末装置から送信されるルータ要請シグナルのソースＩＰｖ６アドレスに含まれる加入者端末装置のＩＦ−ＩＤと加入者端末装置のＭＡＣアドレスを収集する手段と、ルータ要請シグナルの返信としてルータ通知シグナルにより加入者端末装置１へＩＰｖ６アドレスＰｒｅｆｉｘを払い出す手段と、払い出したＩＰｖ６アドレスＰｒｅｆｉｘと、収集した加入者端末装置のＩＦ−ＩＤを組み合わせることにより、加入者端末装置のグローバルＩＰｖ６アドレスを特定する手段と、該グローバルＩＰｖ６アドレスと収集したＭＡＣアドレスを一緒に加入者認証サーバ装置に送信する手段とを備えることを特徴とする加入者収容ルータ装置。
【請求項３】
請求項１記載のユーザ管理方法に使用する加入者認証サーバ装置であって、加入者端末装置のネットワークログイン認証時に、加入者端末装置から送信される認証メッセージから加入者端末装置のユーザアカウント情報と加入者端末装置のＭＡＣアドレスを収集し、ユーザ管理テーブルに保持する手段と、
加入者端末装置のネットワークログイン認証後の加入者収容ルータ装置におけるＮＤＰによる加入者端末装置１へのＩＰｖ６アドレスＰｒｅｆｉｘの払い出し時に、加入者ルータ装置から送信される加入者端末装置のグローバルＩＰｖ６アドレスと加入者端末装置のＭＡＣアドレスを受信し、加入者端末のＭＡＣアドレスをマッピングキーとして、受信した加入者端末装置のグローバルＩＰｖ６アドレスをユーザ管理テーブルに保持する加入者端末装置のユーザアカウントとマッピングさせてユーザ管理テーブルに書き込む手段とを備えることを特徴とする加入者認証サーバ装置。
【請求項４】
請求項１記載のユーザ管理方法を実行させるためのコンピュータプログラムであって、該コンピュータプログラムは、
加入者端末装置のネットワークログイン認証時に、加入者認証サーバ装置に、加入者端末装置から送信される認証メッセージから加入者端末装置のユーザアカウント情報と加入者端末装置のＭＡＣアドレスを収集し、ユーザ管理テーブルに保持するステップを実行させ、
加入者端末装置のネットワークログイン認証後に加入者収容ルータ装置にて行われるＮＤＰによる加入者端末装置１へのＩＰｖ６アドレスＰｒｅｆｉｘの払い出しシーケンスにおいて、加入者収容ルータ装置に、加入者端末装置から送信されるルータ要請シグナルのソースＩＰｖ６アドレスに含まれる加入者端末装置のＩＦ−ＩＤと加入者端末装置のＭＡＣアドレスを収集するステップと、ルータ要請シグナルの返信としてルータ通知シグナルにより加入者端末装置１へＩＰｖ６アドレスＰｒｅｆｉｘを払い出すステップと、払い出したＩＰｖ６アドレスＰｒｅｆｉｘと、収集した加入者端末装置のＩＦ−ＩＤを組み合わせることにより、加入者端末装置のグローバルＩＰｖ６アドレスを特定するステップと、該グローバルＩＰｖ６アドレスと収集した加入者端末装置のＭＡＣアドレスを一緒に加入者認証サーバ装置に送信するステップを実行させ、
加入者認証サーバ装置に、収集した加入者端末のＭＡＣアドレスをマッピングキーとして、加入者ルータ装置から受信した加入者端末装置のグローバルＩＰｖ６アドレスを加入者認証サーバ装置が保持する加入者端末装置のユーザアカウントとマッピングさせてユーザ管理テーブルに書き込むステップを実行させることを特徴とするコンピュータプログラム。
【請求項５】
請求項２記載の加入者収容ルータ装置用のコンピュータプログラムであって、該コンピュータプログラムは、
加入者端末装置のネットワークログイン認証後に加入者収容ルータ装置にて行われるＮＤＰによる加入者端末装置１へのＩＰｖ６アドレスＰｒｅｆｉｘの払い出しシーケンスにおいて、加入者収容ルータ装置に、加入者端末装置から送信されるルータ要請シグナルのソースＩＰｖ６アドレスに含まれる加入者端末装置のＩＦ−ＩＤと加入者端末装置のＭＡＣアドレスを収集するステップと、ルータ要請シグナルの返信としてルータ通知シグナルにより加入者端末装置１へＩＰｖ６アドレスＰｒｅｆｉｘを払い出すステップと、払い出したＩＰｖ６アドレスＰｒｅｆｉｘと、収集した加入者端末装置のＩＦ−ＩＤを組み合わせることにより、加入者端末装置のグローバルＩＰｖ６アドレスを特定するステップと、該グローバルＩＰｖ６アドレスと収集した加入者端末装置のＭＡＣアドレスを一緒に加入者認証サーバ装置に送信するステップを実行させることを特徴とするコンピュータプログラム。
【請求項６】
請求項３記載の加入者認証サーバ装置用のコンピュータプログラムであって、該コンピュータプログラムは、
加入者端末装置のネットワークログイン認証時に、加入者認証サーバ装置に、加入者端末装置から送信される認証メッセージから加入者端末装置のユーザアカウント情報と加入者端末装置のＭＡＣアドレスを収集し、ユーザ管理テーブルに保持するステップを実行させ、
加入者端末装置のネットワークログイン認証後の加入者収容ルータ装置におけるＮＤＰによる加入者端末装置１へのＩＰｖ６アドレスＰｒｅｆｉｘの払い出し時に、収集した加入者端末のＭＡＣアドレスをマッピングキーとして、加入者ルータ装置から受信される加入者端末装置のグローバルＩＰｖ６アドレスを加入者認証サーバ装置が保持する加入者端末装置のユーザアカウントとマッピングさせてユーザ管理テーブルに書き込むステップを実行させることを特徴とするコンピュータプログラム。
【請求項７】
請求項４−６の何れかに記載のコンピュータプログラムを記録したコンピュータ読取可能な記録媒体。
【発明の詳細な説明】
【０００１】
【発明の属する技術分野】
本発明は、加入者端末装置を収容し、ＮＤＰ（Ｎｅｉｇｈｂｏｒ  Ｄｉｓｃｏｖｅｒｙ  ｐｒｏｔｏｃｏｌ）によるステートレス自動設定（Ｓｔａｔｅｌｅｓｓ  Ａｕｔｏｃｏｎｆｉｇｕｒａｔｉｏｎ）によって加入者端末装置へＩＰｖ６アドレスＰｒｅｆｉｘを払い出す加入者収容ルータ装置と、加入者端末装置のネットワークログイン認証を行い、加入者端末装置のユーザアカウントを含むネットワークログイン認証情報を保持する加入者認証サーバ装置とから構成されるＩＰｖ６（Ｉｎｔｅｒｎｅｔ  Ｐｒｏｔｏｃｏｌ  Ｖｅｒｓｉｏｎ  ６）ネットワークアクセス網におけるユーザ管理方法に関するものである。
本発明は、該方法に使用する加入者収容ルータ装置及び加入者認証サーバ装置にも関するものであり、更に該方法を実行させるためのコンピュータプログラムにも関するものである。
【０００２】
【従来の技術】
ＩＰｖ６ネットワークアクセス網においては、加入者認証サーバ装置が加入者端末装置のネットワークログイン認証を行い、ネットワークログイン認証後に、加入者収容ルータ装置がＮＤＰによるステートレス自動設定（例えば、非特許文献１参照）を行い加入者端末装置へＩＰｖ６アドレスＰｒｅｆｉｘを払い出し、加入者端末装置はＩＦ−ＩＤ（Ｉｎｔｅｒｆａｃｅ  Ｉｄｅｎｔｉｆｉｅｒ）を生成し、加入者収容ルータ装置から受け取ったＩＰｖ６アドレスＰｒｅｆｉｘと加入者端末装置のＩＦ−ＩＤとを組み合わせることで加入者端末装置で保持するグローバルＩＰｖ６アドレスを設定する（例えば、非特許文献２参照）。
【０００３】
【非特許文献１】
「詳細図解ＩＰｖ６エキスパートガイド」、江崎浩  関谷勇司  吉藤英明石原知洋著、発行所：株式会社  秀和システム、２００２年５月２５日発行、Ｐ．７４〜８１
【非特許文献２】
「ＩＰｖ６  次世代インターネット・プロトコル」クリスチャン・ウイテマ著、発行所：株式会社ピアソン・エデュケーション、１９９７年１月６日発行、Ｐ．７４〜７７
【０００４】
【発明が解決しようとする課題】
従来のＩＰｖ６ネットワークアクセス網では上記のとおり加入者端末装置内で生成されるＩＦ−ＩＤを加入者収容ルータ装置で収集する機構がなく、また、加入者認証サーバ装置が持つ加入者端末装置のユーザアカウントと加入者端末装置のグローバルＩＰｖ６アドレスをマッピングして管理する機構がないため、どの加入者端末装置がどのグローバルＩＰｖ６アドレスを保持するかを特定できないという問題がある。
【０００５】
本発明は、上述した従来技術の課題を解決するために、加入者収容ルータ装置は加入者端末装置へＮＤＰによるＩＰｖ６アドレスＰｒｅｆｉｘを払い出すと共に、加入者端末装置内で生成されるＩＦ−ＩＤを収集することで、加入者端末装置で設定される加入者端末装置のグローバルＩＰｖ６アドレスを特定し、加入者認証サーバ装置が該グローバルＩＰｖ６アドレスと該加入者認証サーバ装置の持つ加入者端末のユーザアカウントをマッピングする表を保持することで、どの加入者端末装置がどのグローバルＩＰｖ６アドレスを保持するかを管理することを可能にすることを目的としている。
【０００６】
【課題を解決するための手段】
本発明のユーザ管理方法は、加入者端末装置を収容し、ＮＤＰによるステートレス自動設定によって加入者端末装置へＩＰｖ６アドレスＰｒｅｆｉｘを払い出す加入者収容ルータ装置と、加入者端末装置のネットワークログイン認証を行う加入者認証サーバ装置とから構成されるＩＰｖ６ネットワークアクセス網において、
加入者端末装置のネットワークログイン認証時に、加入者認証サーバ装置は、加入者端末装置から送信される認証メッセージから加入者端末装置のユーザアカウント情報と加入者端末装置のＭＡＣアドレスを収集し、ユーザ管理テーブルに保持し、
加入者端末装置のネットワークログイン認証後に加入者収容ルータ装置にて行われるＮＤＰによる加入者端末装置１へのＩＰｖ６アドレスＰｒｅｆｉｘの払い出しシーケンスにおいて、加入者収容ルータ装置は、加入者端末装置から送信されるルータ要請（Ｒｏｕｔｅｒ  Ｓｏｌｉｃｉｔａｔｉｏｎ）シグナルのソースＩＰｖ６アドレスに含まれる加入者端末装置のＩＦ−ＩＤと加入者端末装置のＭＡＣアドレスを収集し、ルータ要請シグナルの返信としてルータ通知（Ｒｏｕｔｅｒ  Ａｄｖｅｒｔｉｓｅｍｅｎｔ）シグナルにより加入者端末装置１へＩＰｖ６アドレスＰｒｅｆｉｘを払い出すとともに、払い出したＩＰｖ６アドレスＰｒｅｆｉｘと、収集した加入者端末装置のＩＦ−ＩＤを組み合わせることにより、加入者端末装置のグローバルＩＰｖ６アドレスを特定し、該グローバルＩＰｖ６アドレスと収集した加入者端末装置のＭＡＣアドレスを一緒に加入者認証サーバ装置に送り、
加入者認証サーバ装置は、収集した加入者端末装置のＭＡＣアドレスをマッピングキーとして、加入者ルータ装置から受信した加入者端末装置のグローバルＩＰｖ６アドレスを加入者認証サーバ装置が保持する加入者端末装置のユーザアカウントとマッピングさせてユーザ管理テーブルに書き込み、どの加入者端末装置がどのグローバルＩＰｖ６アドレスを保持するか管理することを特徴とする。
【０００７】
本発明のユーザ管理方法に使用する加入者収容ルータ装置は、加入者端末装置から送信されるルータ要請シグナルのソースＩＰｖ６アドレスに含まれる加入者端末装置のＩＦ−ＩＤと加入者端末装置のＭＡＣアドレスを収集する手段と、ルータ要請シグナルの返信としてルータ通知シグナルにより加入者端末装置１へＩＰｖ６アドレスＰｒｅｆｉｘを払い出す手段と、払い出したＩＰｖ６アドレスＰｒｅｆｉｘと、収集した加入者端末装置のＩＦ−ＩＤを組み合わせることにより、加入者端末装置のグローバルＩＰｖ６アドレスを特定する手段と、該グローバルＩＰｖ６アドレスと収集したＭＡＣアドレスを一緒に加入者認証サーバ装置に送信する手段とを備えることを特徴とする。
【０００８】
本発明のユーザ管理方法に使用する加入者認証サーバ装置は、加入者端末装置のネットワークログイン認証時に、加入者端末装置から送信される認証メッセージから加入者端末装置のユーザアカウント情報と加入者端末装置のＭＡＣアドレスを収集し、ユーザ管理テーブルに保持する手段と、
加入者端末装置のネットワークログイン認証後の加入者収容ルータ装置におけるＮＤＰによる加入者端末装置１へのＩＰｖ６アドレスＰｒｅｆｉｘの払い出し時に、加入者ルータ装置から送信される加入者端末装置のグローバルＩＰｖ６アドレスと加入者端末装置のＭＡＣアドレスを受信し、加入者端末のＭＡＣアドレスをマッピングキーとして、受信した加入者端末装置のグローバルＩＰｖ６アドレスをユーザ管理テーブルに保持した加入者端末装置のユーザアカウントとマッピングさせてユーザ管理テーブルに書き込む手段とを備えることを特徴とする。
【０００９】
本発明のユーザ管理方法を実行させるためのコンピュータプログラムは、加入者端末装置のネットワークログイン認証時に、加入者認証サーバ装置に、加入者端末装置から送信される認証メッセージから加入者端末装置のユーザアカウント情報と加入者端末装置のＭＡＣアドレスを収集し、ユーザ管理テーブルに保持するステップを実行させ、
加入者端末装置のネットワークログイン認証後に加入者収容ルータ装置にて行われるＮＤＰによる加入者端末装置１へのＩＰｖ６アドレスＰｒｅｆｉｘの払い出しシーケンスにおいて、加入者収容ルータ装置に、加入者端末装置から送信されるルータ要請シグナルのソースＩＰｖ６アドレスに含まれる加入者端末装置のＩＦ−ＩＤと加入者端末装置のＭＡＣアドレスを収集するステップと、ルータ要請シグナルの返信としてルータ通知シグナルにより加入者端末装置１へＩＰｖ６アドレスＰｒｅｆｉｘを払い出すステップと、払い出したＩＰｖ６アドレスＰｒｅｆｉｘと、収集した加入者端末装置のＩＦ−ＩＤを組み合わせることにより、加入者端末装置のグローバルＩＰｖ６アドレスを特定するステップと、該グローバルＩＰｖ６アドレスと収集した加入者端末装置のＭＡＣアドレスを一緒に加入者認証サーバ装置に送信するステップを実行させ、
加入者認証サーバ装置に、収集した加入者端末のＭＡＣアドレスをマッピングキーとして、加入者ルータ装置から受信した加入者端末装置のグローバルＩＰｖ６アドレスを加入者認証サーバ装置が保持する加入者端末装置のユーザアカウントとマッピングさせてユーザ管理テーブルに書き込むステップを実行させることを特徴とする。
【００１０】
【発明の実施の形態】
図１は、Ｅｔｈｅｒｎｅｔ（登録商標）  ５によって接続される、加入者端末装置１と、加入者収容ルータ装置２と、加入者認証サーバ装置３と、Ｅｔｈｅｒｎｅｔ（登録商標）  スイッチ装置４によって構成されるＩＰｖ６ネットワークアクセス網６を示し、このＩＰｖ６ネットワークアクセス網内の加入者収容ルータ装置２及び加入者認証サーバ装置３は本発明のユーザ管理方法を実施するように構成されている。
【００１１】
このＩＰｖ６ネットワークアクセス網では、加入者認証サーバ装置が加入者端末装置１のネットワークログイン認証を行い、ネットワークログイン後に、加入者収容ルータ装置２が加入者端末装置１とのＮＤＰによるステートレス自動設定を行いＩＰｖ６アドレスＰｒｅｆｉｘを払い出し、加入者端末装置１はＩＦ−ＩＤを生成し、これを加入者収容ルータ装置２から受け取ったＩＰｖ６アドレスＰｒｅｆｉｘと組み合わせてグローバルＩＰｖ６アドレスを設定する。
【００１２】
本発明では、加入者端末装置１のネットワークログイン認証時に、加入者認証サーバ装置３が、加入者端末装置１から送信される認証メッセージから加入者端末装置１のユーザアカウント情報とソースＭＡＣアドレス（加入者端末１のＭＡＣアドレス）を収集し、ユーザ管理テーブルに保持する。ネットワークログイン認証後の加入者端末装置へのＩＰｖ６アドレスＰｒｅｆｉｘの払い出し時に、加入者収容ルータ装置２が、加入者端末装置１から送信されるルータ要請シグナルのソースＩＰｖ６アドレスに含まれる加入者端末装置１のＩＦ−ＩＤとソースＭＡＣアドレス（加入者端末１のＭＡＣアドレス）を収集し、ルータ要請シグナルの返信としてルータ通知シグナルにより加入者端末装置１へＩＰｖ６アドレスＰｒｅｆｉｘを払い出すとともに、払い出したＩＰｖ６アドレスＰｒｅｆｉｘと、収集した加入者端末装置のＩＦ−ＩＤを組み合わせることにより、加入者端末装置１のグローバルＩＰｖ６アドレスを特定し、該グローバルＩＰｖ６アドレスと収集した加入者端末装置１のＭＡＣアドレスを一緒に加入者認証サーバ装置３に送る。加入者認証サーバ装置３は、収集した加入者端末装置１のＭＡＣアドレスをマッピングキーとして、加入者収容ルータ装置２から受信した加入者端末装置１のグローバルＩＰｖ６アドレスを加入者認証サーバ装置３が保持する加入者端末装置１のユーザアカウントとマッピングさせてユーザ管理テーブルに書き込み、どの加入者端末装置がどのグローバルＩＰｖ６アドレスを保持するか管理する。
【００１３】
次に、図２を参照して図１のＩＰｖ６ネットワークアクセス網において実行される本発明のユーザ管理方法の手順を詳細に示す。
図１のＩＰｖ６ネットワークアクセス網では、加入者端末装置１の起動時に、加入者端末装置１にて、ＩＰｖ６リンクローカルアドレスが設定され（Ｓ１）、更に加入者端末装置１と加入者認証サーバ装置３との間のネットワークログイン認証が行われる（Ｓ２）。この加入者端末装置のネットワークログイン認証時に、加入者認証サーバ装置では、加入者端末１から送信されるネットワークログイン認証メッセージ中の加入者端末装置を特定するユーザアカウント情報、及び該認証メッセージのソースＭＡＣアドレスである加入者端末装置のＭＡＣアドレスを収集し、加入者端末装置のユーザアカウントと加入者端末装置のＭＡＣアドレスをセットにしてユーザ管理テーブルに保持する（Ｓ３）。
【００１４】
加入者端末装置１のネットワークログイン認証後に、加入者端末装置１にてＩＦ−ＩＤが生成され、加入者収容ルータ装置２にてＮＤＰによる加入者端末装置１へのＩＰｖ６アドレスＰｒｅｆｉｘの払い出しシーケンスが行われる。
【００１５】
本発明では、このシーケンスにおいて、加入者端末装置１から加入者収容ルータ装置２へ、ＩＰｖ６アドレスＰｒｅｆｉｘ払い出し要求シグナルであるルータ要請シグナルＲＳを送り（Ｓ４）、加入者収容ルータ装置２は、このＲＳシグナルのソースＩＰｖ６アドレスに含まれる加入者端末装置のＩＦ−ＩＤ及びソースＭＡＣアドレスである加入者端末装置のＭＡＣアドレスを収集する（Ｓ５）。次いで、加入者収容ルータ装置２は、このＲＳシグナルに応答して、加入者端末装置１へＩＰｖ６アドレスＰｒｅｆｉｘを払い出し、ルータ通知シグナルＲＳとして送信する（Ｓ７）。加入者端末装置１は、受け取ったＩＰｖ６アドレスＰｒｅｆｉｘと加入者端末装置のＩＦ−ＩＤを組み合わせることにより加入者端末装置のグローバルＩＰｖ６アドレスを設定する（Ｓ８）。
【００１６】
次に、加入者収容ルータ装置２は、ステップ（Ｓ５）で収集した加入者端末装置のＩＦ−ＩＤとステップ（Ｓ６）で払い出したＩＰｖ６アドレスＰｒｅｆｉｘとから加入者端末装置のグローバルＩＰｖ６アドレスを特定し（Ｓ９）、該グローバルＩＰｖ６アドレスをステップ（Ｓ５）で収集した加入者端末装置のＭＡＣアドレスと一緒に加入者認証サーバ装置３に送信する（Ｓ１０）。
【００１７】
次に、加入者認証サーバ装置３は、加入者端末装置のＭＡＣアドレスをマッピングキーとして、加入者収容ルータ装置２から受信した加入者端末装置のグローバルＩＰｖ６アドレスを加入者認証サーバ装置３が保持する加入者端末装置のユーザアカウントとマッピングさせてユーザ管理テーブルに書き込む（Ｓ１１）。
【００１８】
以上により、加入者認証サーバ装置３では、加入者端末装置１のユーザアカウントと加入者端末装置のグローバルＩＰｖ６アドレスをマッピングしたユーザ管理テーブルを保持し、どの加入者端末装置がどのグローバルＩＰｖ６アドレスを保持するかを管理することが可能となる。
【００１９】
以上、本発明によるユーザ管理方法の処理手順を説明したが、これらの処理手順は加入者端末装置、加入者収容ルータ装置、加入者認証サーバ装置３に含まれるコンピュータ装置により実行され、本発明はこれらの処理手順を実行させるためのコンピュータプログラム及び該コンピュータプログラムを記録した記録媒体も提供するものである。
【００２０】
【発明の効果】
以上に詳述したように、本発明によれば、加入者端末装置のネットワークログイン認証時に、加入者認証サーバ装置３が、加入者端末装置のユーザアカウント情報と加入者端末のＭＡＣアドレスを収集し、ネットワークログイン認証後の加入者端末装置へのＩＰｖ６アドレスＰｒｅｆｉｘの払い出し時に、加入者収容ルータ装置が、加入者端末装置から加入者端末装置のＩＦ−ＩＤと加入者端末のＭＡＣアドレスを収集し、加入者端末装置１のグローバルＩＰｖ６アドレスを特定し、加入者認証サーバ装置３が、加入者収容ルータ装置２から送信される加入者端末装置のグローバルＩＰｖ６アドレスと加入者認証サーバ装置３が保持する加入者端末装置のユーザアカウントを加入者端末装置のＭＡＣアドレスをマッピングキーとしてマッピングさせるので、どの加入者端末装置がどのグローバルＩＰｖ６アドレスを保持するかを管理するユーザ管理が可能となる。
【図面の簡単な説明】
【図１】本発明のユーザ管理方法を実施するＩＰｖ６ネットワークアクセス網の構成を示す図である。
【図２】本発明のユーザ管理方法の手順を示す図である。
【符号の説明】
１  加入者端末装置
２  加入者収容ルータ装置
３  加入者認証サーバ装置
４  Ｅｔｂｅｒｎｅｔスイッチ装置
５  Ｅｔｈｅｒｎｅｔ（登録商標）
６  ＩＰｖ６ネットワークアクセス網
【図１】
2004242142.tif 000003
【図２】
2004242142.tif 000004